(57)【要約】【課題】コストの増大を抑え且つ電線への巻き付けを容易にしながら、コロナ騒音を抑制することが可能な架空送電線用スパイラルロッドを提供する。【解決手段】絶縁性の線材からなスパイラルロッド本体部１３と、電線１１と接触する導電性の被膜１４とを有し、スパイラルロッド本体部１３に親水性の溝部１３ｅが設けられた。スパイラルロッド本体部１３に付着した雨滴１６は親水性の溝部１３ｅ内に容易にはいり込み、スパイラルロッド本体部１３から大きく垂れ下がらないので、コロナ騒音が抑制される。【選択図】図４
2015050802.tif 000002
【特許請求の範囲】
【請求項１】
絶縁性の線材からなる絶縁線部と、
架空送電線と接触する導電性の接触部とを有し、
前記絶縁線部に親水性の溝部が設けられたことを特徴とする架空送電線用スパイラルロッド。
【請求項２】
前記絶縁線部は、前記接触部から離れる方向に突出し、この突出した側に前記溝部が設けられたことを特徴とする請求項１に記載の架空送電線用スパイラルロッド。
【請求項３】
前記溝部の開口の縁は、面取りされていることを特徴とする請求項１又は２に記載の架空送電線用スパイラルロッド。
【請求項４】
前記絶縁線部は、絶縁材を含浸させた芯材からなることを特徴とする請求項１乃至３のいずれか一項に記載の架空送電線用スパイラルロッド。
【請求項５】
前記接触部は、導電性塗料により形成されることを特徴とする請求項１乃至４のいずれか一項に記載の架空送電線用スパイラルロッド。
【請求項６】
前記接触部は、前記架空送電線の最外層と同一材料からなることを特徴とする請求項１乃至５のいずれか一項に記載の架空送電線用スパイラルロッド。
【請求項７】
前記溝部の溝壁に凹凸が形成されていることを特徴とする請求項１乃至６のいずれか一項に記載の架空送電線用スパイラルロッド。
【請求項８】
前記溝部は、溝底側より開口側が広く形成されていることを特徴とする請求項１乃至７のいずれか一項に記載の架空送電線用スパイラルロッド。
【請求項９】
前記溝部は、隔壁により開口側に臨む複数の空間に形成されていることを特徴とする請求項１乃至７のいずれか一項に記載の架空送電線用スパイラルロッド。
【請求項１０】
前記絶縁線部の断面の外形は、円の一部を含むことを特徴とする請求項１乃至９のいずれか一項に記載の架空送電線用スパイラルロッド。
【発明の詳細な説明】
【技術分野】
【０００１】
本発明は、風騒音及びコロナ騒音に対して有効な架空送電線用スパイラルロッドに関する。
【背景技術】
【０００２】
架空送電線（以下、単に「電線」と記す。）に当たった風が電線表面から剥離するときの風騒音を防止するために電線にスパイラルロッドを巻き付けることが知られている。スパイラルロッドに雨滴が付着すると、その雨滴によりコロナ放電が発生する場合がある。
このような架空送電線用スパイラルロッドとして、絶縁補強芯材に絶縁層を被覆した絶縁被覆補強プラスチック線条を半導電性の電線接触部に埋設したもの（特許文献１）、３本の素線のうち、中央の素線を他の素線より細くしたものが知られている（特許文献２）。
【先行技術文献】
【特許文献】
【０００３】
【特許文献１】特開平５−３３６６４０号公報
【特許文献２】特開２００３−３２８６４号公報
【発明の概要】
【発明が解決しようとする課題】
【０００４】
特許文献１では、絶縁被覆補強プラスチック線条を電線接触部に埋設する構造のため、コストが嵩む。また、絶縁被覆補強プラスチック線条は円形断面であるため、絶縁被覆補強プラスチック線条が電線の下方に位置する場合には、絶縁被覆補強プラスチック線条から垂れさがった雨滴からの放電により、コロナ騒音が発生する。
また、特許文献２では、３本あるいは３本以上の素線を電線に巻き付ける作業が煩雑になる。更に、素線の本数が多いためにコストの増大を招く。
【０００５】
本発明は、上述した事情を鑑みてなされたものであり、コストの増大を抑え且つ電線への巻き付けを容易にしながら、コロナ騒音を抑制することが可能な架空送電線用スパイラルロッドを提供することを目的としている。
【課題を解決するための手段】
【０００６】
上述した課題を解決するため、本発明は、絶縁性の線材からなる絶縁線部と、架空送電線と接触する導電性の接触部とを有し、前記絶縁線部に親水性の溝部が設けられたことを特徴とする。
この構成によれば、絶縁線部に親水性の溝部を設けることで、雨滴を親水性の溝部内に容易に導き入れるとともに、雨滴を溝部内に保持して雨滴が絶縁線部から大きく垂れ下がらないようにする。この結果、簡単な構造でコロナ騒音を抑制することが可能になる。
上記構成において、前記絶縁線部は、前記接触部から離れる方向に突出し、この突出した側に前記溝部が設けられても良い。この構成によれば、雨滴を溝部内により一層導き入れやすくすることができる。従って、コロナ騒音を効果的に抑制することができる。
また、上記構成において、前記溝部の開口の縁は、面取りされていても良い。この構成によれば、絶縁線部から放電しにくくなり、コロナ騒音を抑制することができる。
【０００７】
また、上記構成において、前記絶縁線部は、絶縁材を含浸させた芯材からなるようにしても良い。この構成によれば、絶縁線部を、芯材と絶縁材とから一体に形成し、電線への取付けを容易にする。
また、上記構成において、前記接触部は、導電性塗料により形成されるようにしても良い。この構成によれば、接触部を導電性塗料により容易に形成することができる。
また、上記構成において、前記接触部は、前記架空送電線の最外層と同一材料からなるようにしても良い。この構成によれば、接触部と架空送電線の最外層との間の腐食を抑制し、長期に亘って接触抵抗を確保することができる。
また、上記構成において、前記溝部の溝壁に凹凸が形成されていても良い。この構成によれば、溝壁に凹凸を形成することで、溝壁の表面積をより大きくすることができ、雨滴を溝部内に導き入れやすくするとともに雨滴を溝部内に保持しやすくすることができる。
【０００８】
また、上記構成において、前記溝部は、溝底側より開口側が広く形成されていても良い。この構成によれば、溝部の縁から雨滴を溝部内に導き入れやすい形状にすることができる。
また、上記構成において、前記溝部は、隔壁により開口側に臨む複数の空間に形成されていても良い。この構成によれば、複数の空間の幅を狭く形成することができ、毛細管現象も利用して各空間に雨滴を導き入れやすくすることができる。
また、上記構成において、前記絶縁線部の断面の外形は、円の一部を含むようにしても良い。この構成によれば、絶縁線部の断面の外径を、従来のスパイラルロッドを構成する標準の丸線の線径と同一にした場合に、従来と同様な風騒音防止効果を確保することができる。
【発明の効果】
【０００９】
本発明は、絶縁性の線材からなる絶縁線部と、架空送電線と接触する導電性の接触部と、絶縁線部に設けられた親水性の溝部とを有するので、絶縁線部の雨滴を親水性の溝部内に容易に導き入れることができ、雨滴を溝部内に保持しやすくして雨滴が絶縁線部から大きく垂れ下がらないようにすることができる。従って、簡単な構造によりコストの増大を抑え且つ電線への巻き付けを容易にしながら、コロナ騒音を抑制することができる。また、同時に通常のスパイラルロッドとして風騒音を低減する効果を有する。
【図面の簡単な説明】
【００１０】
【図１】本発明の第１実施形態の架空送電線用スパイラルロッドを示す側面図である。
【図２】図１のＩＩ−ＩＩ線断面図である。
【図３】第１実施形態のスパイラルロッドを示す横断面図である。
【図４】スパイラルロッドのコロナ騒音抑制の作用を説明する作用図である。
【図５】第２実施形態のスパイラルロッドを示す横断面図である。
【図６】第３実施形態のスパイラルロッドを示す横断面図である。
【図７】第４実施形態のスパイラルロッドを示す横断面図である。生を説明する説明図である。
【発明を実施するための形態】
【００１１】
以下、図面を参照して本発明の一実施形態について説明する。
＜第１実施形態＞
図１は、本発明の第１実施形態の架空送電線用スパイラルロッド１０を示す側面図である。
架空送電線用スパイラルロッド（以下、単に「スパイラルロッド」と記す。）１０は、電線（架空送電線）１１につるまき線状（螺旋状）に巻かれながら電線１１の長手方向に延びている。スパイラルロッド１０は、風が電線１１に当たり、表面から離れるときに生じる風騒音と、スパイラルロッド１０に付着した雨滴の形状に起因して発生する放電時のコロナ騒音とを抑制する機能を有する。
【００１２】
図２は、図１のＩＩ−ＩＩ線断面図である。
電線１１は、例えば複数の素線１２が撚られて形成された裸より線である。図２の実施形態は単なる一例であり、本発明のスパイラルロッドは公知の架空送電線に適用できる。例えば、電線１１は複数種の素線から形成されていても良い。一般的なものとしては、鋼からなる芯線とアルミニウムからなる外層素線とで構成される。加えて、電線１１を構成する素線１１ａにはめっきが施されたものが用いられても良い。電線１１には素線１１ａ以外にも、光ファイバユニットを内部に有する管などが内包されていてもよい。
【００１３】
スパイラルロッド１０は、電線１１の外周上に電気的に接するように巻かれている。スパイラルロッド１０は、電線１１と接触する導電性の接触部を備えるため、スパイラルロッド１０と電線１１との間に隙間があってもギャップ放電が防止される。
【００１４】
雨天時には、雨滴が電線１１及びスパイラルロッド１０の表面を伝ってスパイラルロッド１０の最も低い位置（図中においてスパイラルロッド１０の断面を描いた位置）に移動する。本実施形態のスパイラルロッド１０では、スパイラルロッド１０に伝ってきた上記の雨滴に起因するコロナ放電が抑制されるように改良が施されている。その内容について以下に説明する。
【００１５】
図３は、第１実施形態のスパイラルロッド１０を示す横断面図（電線１１の長手方向に垂直な断面図）である。
スパイラルロッド１０は、炭素繊維を芯材とし、炭素繊維にナイロン、ポリエチレン等の絶縁体を含浸させて成型された線材からなるスパイラルロッド本体部１３と、スパイラルロッド本体部１３に備える凹状の湾曲面１３ａに形成された導電性を有する被膜１４とを備える。なお、図３においては、被膜１４はスパイラルロッド本体部１３に備える凹状の湾曲面１３ａに形成されているが、被膜１４の設置面は必ずしもこのように湾曲していることを要さない。
【００１６】
スパイラルロッド本体部１３は、横断面の外形が円の一部を含む丸線部１３ｂと、この丸線部１３ｂから一体に且つ丸線部１３ｂの外径Ｄよりも大きく広がるように延びる一対の拡幅部１３ｃ、１３ｃとからなる。丸線部１３ｂの外径Ｄは、従来の丸線形状のスパイラルロッドの外径とほぼ同一であり、この丸線部１３ｂによって従来と同様に風騒音を抑制することができる。
【００１７】
丸線部１３ｂは、拡幅部１３ｃ，１３ｃ側とは反対側に向けて開口１３ｇが設けられた親水性を有する矩形断面の溝部１３ｅが形成されている。溝部１３ｅは、スパイラルロッド１０の長手方向に沿って形成されている。なお、溝部１３ｅの断面は略矩形で示したが、その機能を発揮する態様であれば、その形状は特に限定されるものではない。溝部１３ｅの溝壁１３ｆ，１３ｆには、親水化処理として例えば微細な凹凸が形成され、表面積の増加が図られている。なお、符号１３ｈは溝部１３ｅの溝底である。符号１３ｊ，１３ｊはスパイラルロッド本体部１３の先端（詳しくは、丸線部１３ｂの外周面と、溝部１３ｅの溝壁１３ｆ，１３ｆとの角）であり、先端１３ｊ，１３ｊには面取り又は丸みが施されている。この面取り（いわゆるＣ面取り）及び丸み（いわゆるＲ面取り）は、先端１３ｊ，１３ｊからの放電を抑制する部分である。
拡幅部１３ｃ，１３ｃは、ほぼ直線状、詳しくは、電線１１（図２参照）の外形にほぼ沿って形成された湾曲面１３ａを形成するように延びている。上記した溝部１３ｅは、その断面が、詳しくは、丸線部１３ｂの湾曲面１３ａに沿う方向（図の左右方向）のほぼ中央に且つ湾曲面１３ａに直交する方向（図の上下方向）に深さを有するように形成されている。
【００１８】
被膜１４は、例えば湾曲面１３ａに導電性の塗料を塗布することで形成される。スパイラルロッド１０に電線１１と接触する導電性の被膜１４を設けることで、スパイラルロッド１０の一部と電線１１との間に隙間が生じても、その隙間でギャップ放電が起こらないようにしてギャップ放電に伴う騒音が発生するのを防止することができる。また、被膜１４を導電性の塗料で形成することで、絶縁体であるスパイラルロッド本体部１３に容易に導電性を付加することができる。
【００１９】
以上に述べたスパイラルロッド１０の作用を次に説明する。
図４は、スパイラルロッド１０のコロナ騒音抑制の作用を説明する作用図である。
スパイラルロッド１０が電線１１の下部に位置する場合、雨天時に雨滴１６がスパイラルロッド１０に付着し、スパイラルロッド本体部１３の先端１３ｊに移動する。このとき、雨滴１６は、先端１３ｊから親水性の溝部１３ｅ内に引き込まれ、丸線部１３ｂの下端から下方に大きく突出しにくくなる。従って、上記の雨滴１６からコロナ放電が起きないようにすることができ、コロナ放電に伴うコロナ騒音の発生を抑制することができる。
更に、他の雨滴１６が次々に先端１３ｊに移動して、雨滴１６の重量が、溝部１３ｅの雨滴１６に対する保持力を越えれば、雨滴１６は落下するので、雨滴１６が丸線部１３ｂから大きく垂れ下がりにくくなる。
【００２０】
＜第２実施形態＞
図５は、第２実施形態のスパイラルロッド２０を示す横断面図である。なお、図３に示した第１実施形態と同一構成については同一符号を付け、詳細説明は省略する。
スパイラルロッド２０は、図３に示したスパイラルロッド１０に対して接触部２１が異なる。即ち、スパイラルロッド２０は、スパイラルロッド本体部１３と、このスパイラルロッド本体部１３の湾曲面１３ａに被覆された導電性を有する接触部２１とからなる。
【００２１】
接触部２１は、電線１１（図２参照）と電気的に接触する部分であり、電線１１と同一の材質である、例えばアルミニウム又はアルミニウム合金製である。接触部２１の電線１１と接触する凹状の接触面２１ａは、電線１１の外形にほぼ沿う円弧形状に形成され、接触部２１における接触面２１ａと反対側の面２１ｂは、スパイラルロッド本体部１３の湾曲面１３ａと隙間なく接合されている。
このように、接触部２１を、スパイラルロッド本体部１３とは別体に構成するとともに、電線１１と同材質にすることで、異種金属間腐食等が発生することがなく、電線１１と接触部２１との導電性を長期に亘って確保することができる。
【００２２】
＜第３実施形態＞
図６は、第３実施形態のスパイラルロッド３０を示す横断面図である。なお、図３に示した第１実施形態と同一構成については同一符号を付け、詳細説明は省略する。
スパイラルロッド３０は、図３に示したスパイラルロッド１０に対してスパイラルロッド本体部３３が異なる。即ち、スパイラルロッド３０は、炭素繊維を芯材としてナイロン、ポリエチレン等の絶縁体を含浸させて成型された線材からなるスパイラルロッド本体部３３と、このスパイラルロッド本体部３３に備える凹状の湾曲面１３ａに形成された被膜１４とを備える。
【００２３】
スパイラルロッド本体部３３は、断面の外形が円の一部を含む丸線部３３ｂと、この丸線部３３ｂから一体に且つ丸線部３３ｂの外径Ｄ（図３参照）よりも大きく広がるように延びる一対の拡幅部１３ｃ、１３ｃとからなる。
丸線部３３ｂは、拡幅部１３ｃ，１３ｃ側とは反対側に向けて開口３３ｇが設けられた親水性を有する断面Ｖ字形状の溝部３３ｅが形成されている。溝部３３ｅは、スパイラルロッド３０の長手方向に沿って形成されている。溝部３３ｅの溝壁３３ｆ，３３ｆには、親水化処理として例えば微細な凹凸が形成され、表面積の増加が図られている。なお、符号３３ｊ，３３ｊは、スパイラルロッド本体部３３の先端（詳しくは、丸線部３３ｂの外周面と、溝部３３ｅの溝壁３３ｆ，３３ｆとの角）であり、先端３３ｊ，３３ｊには面取り又は丸みが施されている。この面取り及び丸みは、先端３３ｊ，３３ｊからの放電を抑制する部分である。
溝部３３ｅは、その断面が、詳しくは、丸線部３３ｂの湾曲面１３ａに沿う方向（図の左右方向）のほぼ中央に且つ湾曲面１３ａに直交する方向（図の上下方向）に深さを有するように形成されている。
【００２４】
図中に示した符号３６は、溝部３３ｅ内に入り込んだ雨滴を示している。雨滴３６は、スパイラルロッド本体部３３の先端３３ｊから下方に大きく垂れ下がりにくい。
溝部３３ｅをＶ字形状（溝底側より開口側が広くなる形状）とし、且つ親水性を有するようにすることで、雨滴３６を先端３３ｊから溝部３３ｅ内に導き入れやすくし、雨滴３６がスパイラルロッド本体部３３から大きく垂れ下がりにくくなるので、コロナ騒音が抑制される。
【００２５】
＜第４実施形態＞
図７は、第４実施形態のスパイラルロッド４０を示す横断面図である。なお、図３に示した第１実施形態と同一構成については同一符号を付け、詳細説明は省略する。
スパイラルロッド４０は、図３に示したスパイラルロッド１０に対してスパイラルロッド本体部４３が異なる。即ち、スパイラルロッド４０は、炭素繊維を芯材としてナイロン、ポリエチレン等の絶縁体を含浸させて成型された線材からなるスパイラルロッド本体部４３と、このスパイラルロッド本体部４３に備える凹状の湾曲面１３ａに形成された被膜１４とを備える。
【００２６】
スパイラルロッド本体部４３は、断面の外形が円の一部を含む丸線部４３ｂと、この丸線部４３ｂから一体に且つ丸線部４３ｂの外径Ｄ（図３参照）よりも大きく広がるように延びる一対の拡幅部１３ｃ、１３ｃとからなる。
丸線部４３ｂは、拡幅部１３ｃ，１３ｃ側とは反対側に向けて開口４３ｃが設けられた親水性を有する溝部４３ｅが形成されている。溝部４３ｅは、矩形空間４５が、溝底４３ｇから開口４３ｃに向かって延びる隔壁４３ｈにより複数の空間４６，４７に形成され、スパイラルロッド４０の長手方向に沿って形成されている。溝部４３ｅの溝壁４３ｆ，４３ｆ及び隔壁４３ｈの溝壁４３ｊ，４３ｊには、親水化処理として例えば微細な凹凸が形成され、表面積の増加が図られている。
【００２７】
溝部４３ｅは、その断面が、詳しくは、丸線部４３ｂの湾曲面１３ａに沿う方向（図の左右方向）のほぼ中央に且つ湾曲面１３ａに直交する方向（図の上下方向）に深さを有するように形成されている。
隔壁４３ｈは、その先端４３ｋを、スパイラルロッド本体部４３の先端４３ｍ，４３ｍよりも溝底側に設けることで、先端４３ｋと先端４３ｍ，４３ｍとの間に空間４８を形成し、この空間４８に雨滴５２（想像線で示す部分）を溜まりやすくすることができる。
スパイラルロッド本体部３３の先端４３ｍ，４３ｍは、詳しくは、丸線部４３ｂの外周面と、溝部４３ｅの溝壁４３ｆ，４３ｆとの角であり、先端４３ｍ，４３ｍには面取り又は丸みが施されている。この面取り及び丸みは、先端４３ｍ，４３ｍからの放電を抑制する部分である。
【００２８】
溝部４３ｅを複数の空間４６，４７に形成することで、各空間４６，４７の幅ｗをより狭くすることができる。この結果、溝壁４３ｆ，４３ｊの凹凸による親水性と、毛細管現象とにより雨滴５２を空間４６，４７内に入り込みやすくすることができる。また、複数の空間４６，４７を形成することで、溝部４３ｅ内に入り込む雨滴５２の量をより多くすることができる。従って、雨滴５２がスパイラルロッド本体部４３から大きく垂れ下がらないようにすることができ、コロナ騒音を抑制することができる。
【００２９】
以上の図１、図２及び図４に示したように、絶縁性の線材からなる絶縁線部としてのスパイラルロッド本体部１３と、電線１１と接触する導電性の接触部としての被膜１４とを有し、スパイラルロッド本体部１３に親水性の溝部１３ｅが設けられた。
この構成によれば、スパイラルロッド本体部１３に親水性の溝部１３ｅを設けることで、スパイラルロッド本体部１３に付着した雨滴１６を親水性の溝部１３ｅ内に容易に導き入れることができ、また、雨滴１６を溝部１３ｅ内に保持しやすくすることができる。従って、雨滴１６がスパイラルロッド本体部１３から大きく垂れ下がらないようにすることができる。従って、スパイラルロッド１０の構成が単純で且つスパイラルロッド本体部１３に溝部１３ｅを設けるだけであるから、コストの増大を抑えられ、且つ電線１１に容易に巻き付けることができる上に、コロナ騒音を抑制することができる。
また、スパイラルロッド本体部１３は、絶縁材を含浸させた芯材からなるので、芯材と絶縁材とから一体にスパイラルロッド本体部１３が形成され、電線１１への取付けを容易に行うことができる。
【００３０】
また、スパイラルロッド本体部１３は、被覆１４から離れる方向に突出し、この突出した側に溝部１３ｅが設けられたので、雨滴を溝部１３ｅ内により一層導き入れやすくすることができる。従って、コロナ騒音を効果的に抑制することができる。
また、溝部１３ｅの開口１３ｇの縁としての先端１３ｊは、Ｃ面取り又はＲ面取りが施されているので、スパイラルロッド本体部１３から放電しにくくなり、コロナ騒音を抑制することができる。
【００３１】
また、被膜１４は、導電性塗料により形成されるので、被膜１４を導電性塗料により容易に形成することができる。
また、図５に示したように、接触部２１は、電線１１（図２参照）の最外層と同一材料からなるので、接触部２１と電線１１の最外層との間の腐食を抑制することができ、長期に亘って接触抵抗を確保することができる。
また、図３に示したように、溝部１３ｅの溝壁１３ｆ，１３ｆに微細な凹凸が形成されているので、溝壁１３ｆ，１３ｆの表面積をより大きくすることができる。このことにより、雨滴１６（図４参照）を溝部１３ｅ内に導き入れやすくするとともに雨滴１６を溝部１３ｅ内に保持しやすくすることができる。
【００３２】
また、図６に示したように、溝部３３ｅは、溝底側より開口３３ｇ側が広く形成されているので、溝部３３ｅの縁から雨滴３６を溝部３３ｅ内に導き入れやすい形状にすることができる。
また、図７に示したように、溝部４３ｅは、隔壁４３ｈにより開口４３ｃ側に臨む複数の空間４６，４７に形成されているので、複数の空間４６，４７の幅ｗを狭く形成することができる。この結果、微細な凹凸と共に毛細管現象も利用して各空間４６，４７に雨滴５２を導き入れやすくすることができる。
また、図３に示したように、スパイラルロッド本体部１３の断面の外形は、円の一部を含む。これにより、スパイラルロッド本体部１３の断面の外径を、従来のスパイラルロッドを構成する標準の丸線の線径と同一にした場合に、従来と同様な風騒音防止効果を確保することができる。
【００３３】
上述した実施形態は、あくまでも本発明の一態様を示すものであり、本発明の主旨を逸脱しない範囲で任意に変形及び応用が可能である。
例えば、上記実施形態において、図３に示したスパイラルロッド本体部１３を形成する芯材を、炭素繊維としたが、これに限らず、芯材をガラス繊維としても良い。
また、図１、図２に示した素線１２の材質を、アルミニウム又はアルミニウム合金としたが、これに限らず、銅又は銅合金としても良い。
また、図７に示したように、溝部４３ｅ内の空間４６，４７の幅ｗを両空間４６，４７で同一としたが、これに限らず、空間４６，４７の幅を異ならせても良い。
また、図３、図６及び図７に示したように、先端１３ｊ，３３ｊ，４３ｍの面取りについては、溝壁１３ｆ，３３ｆ，４３ｆに対して４５°に形成するものに限らず、他の角度に角を削除するものでも良い。
【符号の説明】
【００３４】
１０，２０，３０，４０  架空送電線用スパイラルロッド
１１  架空送電線
１３，３３，４３  スパイラルロッド本体部（絶縁線部）
１３ｅ，３３ｅ，４３ｅ  溝部
１３ｆ，３３ｆ，４３ｆ，４３ｊ  溝壁
１３ｇ，３３ｇ，４３ｃ  開口
１３ｈ，４３ｇ  溝底
１４  被膜（接触部）
２１  接触部
４３ｈ  隔壁
４６，４７  空間
【図１】
2015050802.tif 000003
【図２】
2015050802.tif 000004
【図３】
2015050802.tif 000005
【図４】
2015050802.tif 000006
【図５】
2015050802.tif 000007
【図６】
2015050802.tif 000008
【図７】
2015050802.tif 000009